(57)【要約】【課題】紫外線を遮る多機能ビニール傘面構造の傘具を提供する。【解決手段】多機能ビニール傘面構造の傘具は、傘フレーム８１、ビニール傘面３及び紫外線吸収剤又はセラミック粉末を含む。傘フレーム８１は、親骨８１２及び中棒８１１により構成される。親骨８１２には、中棒８１１及び傘表面が接続される。ビニール傘面３は、紫外線吸収剤又はセラミック粉末が添加された射出ビニール布を裁断して形成される。紫外線吸収剤又はセラミック粉末は、ビニール傘面３内に添加される。ビニール布を裁断し、複数の扇形片２を形成する。複数の扇形片２を組み合わせてビニール傘面３を形成する。ビニール傘面３は、多層で異なる色で組成される。多層のビニール傘面３に設けた第１の層内には、紫外線吸収剤が添加される。【選択図】図８
0003177242.tif 000002
【実用新案登録請求の範囲】
【請求項１】
傘フレーム、ビニール傘面及び紫外線吸収剤又はセラミック粉末を含む多機能ビニール傘面構造の傘具であって、
前記傘フレームは、親骨及び中棒により構成され、
前記親骨には、前記中棒及び傘表面が接続され、
前記ビニール傘面は、前記紫外線吸収剤又は前記セラミック粉末が添加された射出ビニール布を裁断して形成され、
前記紫外線吸収剤又は前記セラミック粉末は、前記ビニール傘面内に添加されることを特徴とする多機能ビニール傘面構造の傘具。
【請求項２】
前記ビニール布を裁断し、複数の扇形片を形成し、
前記複数の扇形片を組み合わせて前記ビニール傘面を形成することを特徴とする請求項１に記載の多機能ビニール傘面構造の傘具。
【請求項３】
前記ビニール傘面は、多層で異なる色で組成され、
前記多層のビニール傘面に設けた第１の層内には、前記紫外線吸収剤が添加されることを特徴とする請求項１に記載の多機能ビニール傘面構造の傘具。
【請求項４】
前記紫外線吸収剤を紫外線反射剤により代替し、
前記ビニール傘面は、前記紫外線反射剤が添加された前記射出ビニール布を裁断し、前記ビニール傘面を形成することを特徴とする請求項１に記載の多機能ビニール傘面構造の傘具。
【請求項５】
前記ビニール傘面は、第２の層を含み、
前記第２の層は、織布層であり、前記第１の層に結合されることを特徴とする請求項３に記載の多機能ビニール傘面構造の傘具。
【請求項６】
前記第２の層は、ビニール布層であり、前記第１の層と結合され、変色、蛍光、夜光、遠赤外線、抗菌、超撥水及び冷却耐熱の７種の機能のうちの少なくとも１種を含むことを特徴とする請求項５に記載の多機能ビニール傘面構造の傘具。
【請求項７】
前記ビニール傘面の前記第１の層と前記第２の層との間には、第３の層が設けられ、
前記第３の層は、色が濃いことを特徴とする請求項５に記載の多機能ビニール傘面構造の傘具。
【請求項８】
前記ビニール傘面の前記第１の層には、エンボスパターンが設けられていることを特徴とする請求項５に記載の多機能ビニール傘面構造の傘具。
【請求項９】
前記ビニール傘面の周囲には、封止部、修飾接続部、レース及び刺繍のうちの少なくとも何れか１つが設けられることを特徴とする請求項５に記載の多機能ビニール傘面構造の傘具。
【請求項１０】
前記第２の層は、傘表面に耐熱効果を与えるセラミック粉末が添加されることを特徴とする請求項６に記載の多機能ビニール傘面構造の傘具。
【請求項１１】
前記ビニール傘面は透明であることを特徴とする請求項７に記載の多機能ビニール傘面構造の傘具。
【考案の詳細な説明】
【技術分野】
【０００１】
本考案は、傘具に関し、特に、単層又は多層の多機能ビニール傘面構造の傘具に関する。
【背景技術】
【０００２】
大気中のオゾン層は、紫外線を吸収する働きを持っているが、オゾン層の破壊に伴い、人類を紫外線から守る働きが弱まり、肌に与える悪影響が年々高まっている。このように近年、紫外線を防ぐ商品のニーズが年々高まっているため、多くのメーカは日焼けを防ぐことができる原料に多くの資源を投入し、紫外線を防ぐ方法が開発されている。
例えば、ナノスケールに研磨された二酸化チタン、酸化亜鉛などの製品が市販されている。一般に、日焼け防止材料は、紫外線を防ぐ原理の違いにより「物理的日焼け止め剤」と「化学的日焼け止め剤」とに分けられる。二酸化チタン、酸化亜鉛は、物理的日焼け止め剤に属し、その粒子により全波長の紫外線を反射させたり屈折させたりするため、紫外線ブロック（ＵＶ  ｂｌｏｃｋ）とも呼ばれる。化学的日焼け止め剤は、よく知られている「紫外線吸収剤ＵＶ  ａｂｓｏｒｂｅｒ」であり、その特殊な化学構造により特定波長の紫外線を吸収し、光エネルギを熱エネルギへ変換することにより肌が紫外線により悪影響を受けることを防ぐ。
【０００３】
図９を参照する。図９に示すように、特許文献１は、軽量で、紫外線及び断熱率が高い傘具を開示している。傘具の傘面９は、少なくとも表面９１、塗料９２及び内面９３を含む。この傘具は、高密度繊維からなる白色ナイロン傘布材料からなる傘面９の表面９１上にあり、耐紫外線及び遮熱効果を有する塗料９２を塗布するとともに、傘面９の内面９３に模様を形成し、内面９３の模様は高い視覚認識性を得ることができる。
【０００４】
上述した従来構造は、紫外線遮蔽塗料をナイロン傘布の表面へ塗布し、耐紫外線効果を得ているが、一般に、ビニール傘面の表面が平滑すぎるため、このような塗料はビニール傘面の表面へ均等に塗布することができず、塗料が水滴状に凝縮されてビニール傘面の見た目が悪くなる虞がある。
【先行技術文献】
【特許文献】
【０００５】
【特許文献１】台湾実用新案登録第３７４２８１号公報
【考案の概要】
【考案が解決しようとする課題】
【０００６】
本考案の目的は、紫外線を遮る多機能ビニール傘面構造の傘具を提供することにある。
本考案のもう一つの目的は、多機能の多機能ビニール傘面構造の傘具を提供することにある。
【課題を解決するための手段】
【０００７】
上記した課題を解決するため本考案は、傘フレーム、ビニール傘面及び紫外線吸収剤又はセラミック粉末を含む多機能ビニール傘面構造の傘具であって、前記傘フレームは、親骨及び中棒により構成され、前記親骨には、前記中棒及び傘表面が接続され、前記ビニール傘面は、前記紫外線吸収剤又は前記セラミック粉末が添加された射出ビニール布を裁断して形成され、前記紫外線吸収剤又は前記セラミック粉末は、前記ビニール傘面内に添加されることを特徴とする多機能ビニール傘面構造の傘具を提供する。
【０００８】
また、前記ビニール布を裁断し、複数の扇形片を形成し、前記複数の扇形片を組み合わせて前記ビニール傘面を形成することが好ましい。
【０００９】
また、前記ビニール傘面は、多層で異なる色で組成され、前記多層のビニール傘面に設けた第１の層内には、前記紫外線吸収剤が添加されることが好ましい。
【００１０】
また、前記紫外線吸収剤を紫外線反射剤により代替し、前記ビニール傘面は、前記紫外線反射剤が添加された前記射出ビニール布を裁断し、前記ビニール傘面を形成することが好ましい。
【００１１】
また、前記ビニール傘面は、第２の層を含み、前記第２の層は、織布層であり、前記第１の層に結合されることが好ましい。
【００１２】
また、前記第２の層は、ビニール布層であり、前記第１の層と結合され、変色、蛍光、夜光、遠赤外線、抗菌、超撥水及び冷却耐熱の７種の機能のうちの少なくとも１種を含むことが好ましい。
【００１３】
また、前記ビニール傘面の前記第１の層と前記第２の層との間には、第３の層が設けられ、前記第３の層は、色が濃いことが好ましい。
【００１４】
また、前記ビニール傘面の前記第１の層には、エンボスパターンが設けられていることが好ましい。
【００１５】
また、前記ビニール傘面の周囲には、封止部、修飾接続部、レース及び刺繍のうちの少なくとも何れか１つが設けられることが好ましい。
【００１６】
また、前記第２の層は、傘表面に耐熱効果を与えるセラミック粉末が添加されることが好ましい。
【００１７】
また、前記ビニール傘面は透明であることが好ましい。
【考案の効果】
【００１８】
本考案に係る多機能ビニール傘面構造の傘具は、従来技術と異なり、以下（１）〜（５）の効果を有する。
（１）ビニール傘面に紫外線吸収剤を添加することにより、紫外線が増えすぎてユーザの皮膚に悪影響を与えることを防ぐことが可能である。
（２）二重層又は多層のビニール傘面に紫外線吸収剤及び第２の物質を添加することにより、多機能及び多様化を得る。例えば、耐紫外線＋変色効果、耐紫外線＋蛍光効果、耐紫外線＋夜光効果、耐紫外線＋遠赤外線効果、耐紫外線＋抗菌効果、または耐紫外線＋超撥水効果等の複数の効果を組み合わせた効果を得ることができる。
（３）本考案の多層ビニール傘面は、色が深い第３の層により太陽光線を遮って熱を吸収し、ユーザに直接照射したり、多層ビニール傘面が透明であり、ビニール傘面が有するサングラスと同等の機能により目の刺激を緩和したりする効果を得る。
（４）ビニール傘面の外表面には、エンボスパターンの印刷、封止部、修飾接続部、レース、刺繍などのうちの少なくとも１種を設けることができる。
（５）本考案のビニール傘面は、紫外線反射剤が添付されたビニール布を裁断してビニール傘面を形成するので、紫外線を反射して高い耐紫外線効果、および耐熱効果を得ることができる。
【図面の簡単な説明】
【００１９】
【図１】本考案の一実施形態に係る組み合わせ式ビニール傘面を示す模式図である。
【図２】本考案の一実施形態に係る多機能ビニール傘面構造の傘具を示す斜視図である。
【図３】本考案の一実施形態に係る多機能ビニール傘面構造の傘具の単層ビニール傘面を示す図１の線Ａ−Ａに沿った断面図である。
【図４】本考案の一実施形態に係る多機能ビニール傘面構造の傘具の二層ビニール傘面を示す図１の線Ａ−Ａに沿った断面図である。
【図５】本考案の他の実施形態に係る多機能ビニール傘面構造の傘具の二層ビニール傘面を示す図１の線Ａ−Ａに沿った断面図である。
【図６】本考案の一実施形態に係る多機能ビニール傘面構造の傘具の多層ビニール傘面を示す図１の線Ａ−Ａに沿った断面図である。
【図７】本考案の一実施形態に係る傘具のビニール傘面にエンボスパターンが設けられた状態を示す斜視図である。
【図８】本考案の一実施形態に係るビニール傘面構造のビニール傘面に封止部が設けられた状態を示す斜視図である。
【図９】従来技術の構造を示す模式図である。
【考案を実施するための形態】
【００２０】
図１及び図２を参照する。図１及び図２に示すように、本考案に係る多機能ビニール傘面構造の傘具はビニール傘面３を具備する。本実施の形態に係るビニール傘面３は、０．１〜０．６％の紫外線吸収剤１が添加されたビニール布を射出成型した後（紫外線吸収剤１は、一般にベンゾフェノン（ｂｅｎｚｏｐｈｅｎｏｎｅ）系化合物である）、ビニール布を裁断し、八角形のビニール傘面３を形成してから傘具８の傘フレーム８１上へ取り付ける。
一般に、傘フレーム８１は、中棒８１１及び親骨８１２から構成される。
ビニール傘面３は、親骨８１２上に取り付けてもよいし、図１に示すように、紫外線吸収剤１、セラミック粉末又は紫外線反射剤を含むビニール布を裁断して扇形片２へ形成してから複数の扇形片２を組み合わせてビニール傘面３を形成したりしてもよい。
そのため、ビニール傘面３は、ビニール布を裁断してビニール傘面を一体化したり、ビニール布を裁断して扇形片２を形成したりしてから、複数の扇形片２を組み合わせてビニール傘面３を形成する。
図３に示すように、前述したビニール傘面３は単層でもよい。
【００２１】
図４及び図５を参照する。図４及び図５に示す実施形態では、ビニール傘面３を異なる色の二重層に形成した形態を示し、異なる色のビニール布層、織布層、又は２色のビニール布層とビニール布層を結合して多機能を得ることができるようにしたものである。
第１の層４は、紫外線吸収剤１、セラミック粉末又は紫外線反射剤を含むビニール布層である。
第２の層５は、内包したり表面に塗布されたりした感光変色剤、蛍光剤、夜光剤、遠赤外線物質、抗菌剤、撥水剤、冷却剤、紫外線反射剤などのうち少なくとも一種の薬剤物質からなる第２の物質６のビニール布層であり、変色、蛍光、夜光、遠赤外線、抗菌、超撥水、冷却など７種の機能のうちの少なくとも一種の機能を得てから、第２の層５を第１の層４に結合して多機能を有するビニール傘面３の構造を構成する。
そのため、ビニール傘面３の機能は、耐紫外線＋変色効果、耐紫外線＋蛍光効果、耐紫外線＋夜光効果、耐紫外線＋遠赤外線効果、耐紫外線＋抗菌効果、耐紫外線＋超撥水効果、耐紫外線＋冷却効果など、又はそれらの組み合わせからなる多種の機能を得ることができる。
特に、第２の層５を第１の層４へ結合する方式は、両者間を接着剤又は高周波方式により結合してもよい。特に、第２の物質６を第２の層５に内包したり（図４参照）第２の層５に塗布（図５参照）したりしてもよい。
【００２２】
図６を参照する。図６に示す実施形態では、第１の層４と第２の層５との間に色が濃い第３の層７を設けた形態を示していて、ビニール傘面３に太陽光線を遮る耐紫外線機能を高めた多機能を有する。
本例で採用する多層ビニール布は、第１の層４と第２の層５との間に色が濃い第３の層７が設けられている。第３の層７は、太陽光線を遮って吸熱を行い、ユーザに直接照射されることを防ぐ。
第１の層４及び第２の層５は、前述の実施例と同様である。多層ビニール布が透明である場合、ビニール傘面３は、サングラスと同様に目を刺激しない効果を得ることができる。
【００２３】
図７及び図８を参照する。図７及び図８に示す実施形態では、ビニール傘面３の外表面に消費者のニーズを満たすように各種の要素を付加した形態を示す。
本実施形態ではビニール傘面３の外表面に、エンボスパターン４０を印刷して形成したり、或いはビニール傘面３の周縁の封止部３０に、修飾接続部、レース又は刺繍などのうちの少なくとも一種を多様性を付与してもよい。
【００２４】
上述した記載から分かるように、本考案に係る多機能ビニール傘面構造の傘具は、単層、二重層又は多層のビニール傘面に紫外線吸収剤及び第２の物質を添加することにより、多機能及び多様化を得るとこができる。例えば、耐紫外線＋変色効果、耐紫外線＋蛍光効果、耐紫外線＋夜光効果、耐紫外線＋遠赤外線効果、耐紫外線＋抗菌効果、耐紫外線＋超撥水効果などの複数の要素を組み合わせた効果を得るようにしてもよい。
【００２５】
当該技術分野の技術を熟知するものが理解できるように、本考案の好適な実施形態を前述の通り開示したが、これらの記載は本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  紫外線吸収剤
２  扇形片
３  ビニール傘面
４  第１の層
５  第２の層
６  第２の物質
７  第３の層
８  傘具
９  傘面
３０  封止部
４０  エンボスパターン
８１  傘フレーム
９１  表面
９２  塗料
９３  内面
８１１  中棒
８１２  親骨
【図１】
0003177242.tif 000003
【図２】
0003177242.tif 000004
【図３】
0003177242.tif 000005
【図４】
0003177242.tif 000006
【図５】
0003177242.tif 000007
【図６】
0003177242.tif 000008
【図７】
0003177242.tif 000009
【図８】
0003177242.tif 000010
【図９】
0003177242.tif 000011